(57)【要約】【課題】  用紙が適正に揃えられ、紙詰まりや誤動作が発生すること防止した大容量のメディア格納装置を提供する。【解決手段】  大量のメディアを用いる大容量メディア機構内において、あらかじめ選ばれた領域が切り離されるように作られており、かつ底面（１６）と上面（１８）を持つ変形可能な一体形メディア・ホルダ（１４）と、前記メディア・ホルダ内の可動支持台（２８）と、前記可動支持台に持上げ力を加える、前記大容量メディア機構内の持上げ手段（２６）と、を備えることを特徴とする大容量メディア装置（１０）を提供する。【選択図】        図１
2004262658.tif 000002
【特許請求の範囲】
【請求項１】
大量のメディアを用いる大容量メディア機構内において、
あらかじめ選ばれた領域が切り離されるように作られており、底面と上面を持つ変形可能な一体形メディア・ホルダと、
前記メディア・ホルダ内の可動支持台と、
前記可動支持台に持上げ力を加える、前記大容量メディア機構内の持上げ手段と、
を備えることを特徴とする大容量メディア装置。
【請求項２】
大量のメディアを収容する大容量メディア機構内において、
上面においてあらかじめ選ばれた領域が切り離されるように作られており、底面と上面を持つ変形可能な一体形メディア・ホルダと、
前記メディア・ホルダ内の可動支持台と、
前記底面の少なくとも１つの出入り口と、
前記可動支持台に持上げ力を加えるために前記少なくとも１つの出入り口に位置合わせされるようにした、前記大容量メディア機構内の持上げ手段と、
を備えることを特徴とする大容量メディア装置。
【請求項３】
前記メディア・ホルダがあることを検出して、前記持上げ手段を解放して、前記持上げ力を前記可動支持台に加えるように構成されているメディア・ホルダ・センサであって、前記大容量メディア機構に接続されたメディア・ホルダ・センサをさらに備えることを特徴とする請求項２に記載の装置。
【請求項４】
複数リームのメディアを収容する大容量メディア機構内において、
あらかじめ選ばれた領域が切り離されるように作られており、底板、上板、側板を持つ変形可能な一体形メディア・ホルダであって、湿気を吸収するようにした変形可能な一体形メディア・ホルダと、
前記メディア・ホルダ内にあり、複数の凹みを含むようにした可動支持台と、
前記複数の凹みと協働するように構成され、前記底板に形成された複数の出入り口と、
前記大容量メディア機構内で、持上げ圧力を前記可動支持台に加えるように前記複数の出入り口および前記複数の凹みと協働するようにした複数の持上げ装置と、
前記大容量メディア機構に接続された少なくとも１つのセンサと、
を備えることを特徴とする大容量メディア装置。
【請求項５】
前記メディア・ホルダの前記底板の外側面で、前記複数の出入り口間に付けられたラベルをさらに備えることを特徴とする請求項４に記載の装置。
【請求項６】
前記ラベルがさらに、前記メディア・タイプを前記大容量メディア機構に知らせることと、前記大容量メディア機構が、前記知らされたメディア・タイプに合うようにセッティングを調整することを特徴とする請求項５に記載の装置。
【請求項７】
複数リームのメディアを収容する大容量メディア機構内において、
メディアを中に入れるために、上板、底板、側板を持つ変形可能な一体形メディア・ホルダであって、湿気を吸収するように構成され、かつ、あらかじめ選ばれた領域が切り離されるように作られたメディア・ホルダを提供するステップと、
前記メディア・ホルダ内に、複数の凹みを含む可動支持台を提供するステップと、
前記底板の複数の出入り口を、前記可動支持台の前記複数の凹みと協働するように作るステップと、
前記複数の出入り口と協働し、かつ持上げ圧力を前記可動支持台に加えるように、前記大容量メディア機構内で複数の持上げピンを連結するステップと、
メディア・ホルダ・センサとメディア・センサとラベル・センサを大容量メディア機構に接続するステップと、
前記メディア・ホルダの前記選ばれた領域として、一側板の少なくとも一部と前記上板とを除去するステップと、
前記メディア・ホルダを前記大容量メディア機構に入れて、前記出入り口が前記持上げピンに位置合わせされ、かつ、前記持上げピンが、持上げ力を前記可動支持台に加えるようにするステップと、
を有することを特徴とする大容量メディアのセッティング方法。
【請求項８】
前記メディア・ホルダの前記底板の外側面で、前記複数の出入り口間にラベルを付けるステップと、
前記ラベルが、前記メディアの特性を前記メディア・センサに知らせるようにするステップと、
前記大容量メディア機構が、前記知らされたメディア特性に合うように自動的に調整されるステップと、
をさらに有することを特徴とする請求項７に記載の方法。
【請求項９】
２リーム以上のメディアを収容するメディア・ホルダ手段と、
前記メディア・ホルダ手段に一体化して、湿気を吸収する吸湿手段と、
前記メディア・ホルダ手段に連結されており、メディアを支持する可動支持台手段と、
前記可動支持台手段にアクセスするための少なくとも１つの出入り口手段と、
前記可動支持台を持ち上げるために、前記少なくとも１つの出入り口手段に連結される少なくとも１つの持上げ手段と、
を備えることを特徴とする大容量メディア装置。
【請求項１０】
前記メディア・ホルダ手段のあらかじめ選ばれた部分を除去する手段をさらに備えることを特徴とする請求項９に記載の大容量メディア装置。
【発明の詳細な説明】
【技術分野】
【０００１】
本発明は、大容量メディア（ｍｅｄｉａ、媒体）装置および方法に関する。特に、本発明は、大量のメディアを用いる大容量メディア機構（ｈｉｇｈ  ｃａｐａｃｉｔｙ  ｍｅｄｉａ  ｄｅｖｉｃｅ）における大量のメディアを収容する大容量メディア装置および方法に関する。
【背景技術】
【０００２】
ペーパーレス・オフィスは、相変わらず、多くの人の楽観的な希望となっている。それでも、進行している電子技術革新にもかかわらず、以前よりも多くの紙が国内および世界中のオフィスで用いられている。実際は、文書、写真などの作成および複写のために、複数リーム（ｒｅａｍ）のメディア（限定せずに、例示としてのみ）を収容できる大容量のメディア機構（例えば、高速のコピー機やプリンタ）に対する需要の高まりが、時間がかかるゆえ費用がかかり、かつ失敗を蒙りやすい新たなオフィス内作業を生み出した。なお、リームはメディア（媒体）の枚数（個数）の単位である。このようなありがたくない作業とは、オフィス内のほとんどの印刷やコピーに用いられる標準レターサイズやＡ４用紙などの複数リームのメディアを、このような大容量メディア機構に適正に入れる作業である。
【０００３】
通常、大容量メディア機構は、４リーム以上の用紙を収容することができる。その結果、今日、大容量入力（ＨＣＩ）装置が、用紙を使い果たしたときには、ユーザは、これらのリームの用紙が入っているボックスを開かなければならない。さらに、ユーザは、ほとんどのハイエンドＨＣＩ装置が、メディアで満杯になる前に、適宜、４リーム以上の用紙を開封して入れなければならない。これらのリームの用紙が１グループとしてボックスおよび／または包装材料に入ることに加えて、各リームも個別に包装される。従って、現行プロセスのもう１つの消極的な面は、大量の不用な包装紙や包装材料が発生することである。
【発明の開示】
【発明が解決しようとする課題】
【０００４】
メディアを入れることと不用物の発生は、従来技術のＨＣＩ装置の使用において遭遇する問題だけではない。もう１つの問題は、これらのリームの用紙が適正に揃えられない場合に、このような不揃いから、しばしば、紙詰まりや誤動作が発生することである。関連する問題点は、「ｓｐｌｉｔ（切れ目）」である。或るリームの用紙と、別のリームの用紙との境界に、切れ目が発生する。もっとも慎重に揃えても、切れ目で、紙詰まりまたは誤動作が発生しないことが必ずしも保証されるとは限らない。さらになお、大量のメディアを利用する従来技術のＨＣＩは、湿気の悪影響を受ける。湿気は、ＨＣＩ装置が、メディアを取り込んで処理する能力に影響を及ぼす。
【課題を解決するための手段】
【０００５】
変形可能な一体形メディア・ホルダは、可動支持台と持上げ装置の出入り口（アクセスポート）を含む。出入り口から、大容量メディア装置内の持上げ装置（リフト装置）に到達（アクセス）できる。持上げ装置は、可動支持台に持上げ力を加えるために、出入り口に位置合わせされる。本発明による大容量メディア装置および方法は、大量のメディアを収容する大容量のメディア機構内において、あらかじめ選ばれた領域（場所）が切り離されるようにした、底面、上面、側面を持つ変形可能な一体形メディア・ホルダを含む。このメディア・ホルダには、可動支持台が備えられている。持上げ装置は、大容量のメディア機構内に備えられ、可動支持台に持上げ力を加えるようにするものである。
【発明を実施するための最良の形態】
【０００６】
本発明の一実施形態は、例示として図１〜図４に示されている。とりわけ図１と図２に関して、本発明の一実施形態による大容量メディア装置１０は、大容量メディア機構１２を含む。大容量メディア機構１２は、複数リームのメディアを収容できるプリンタ、コピー機、あるいは、現在知られているか、または今後開発される他の任意の装置であることもある。ボックスなどの変形可能な一体形メディア・ホルダ１４は、底面１６（底部または底板と呼ばれてもよい）、上面１８（頂部または上板と呼ばれてもよい）、側面２０（側部または側板と呼ばれてもよい）を含む。メディア・ホルダ１４、好ましくは上面１８は、ミシン目２３によって、あらかじめ選ばれた領域２２が切り離されるように作られている。変形可能な一体形メディア・ホルダ１４はまた、底面１６（底板）に、穴またはスロットなどの出入り口２４も含む。大容量メディア機構１２は、変形可能な一体形メディア・ホルダ１４内の可動支持台２８に持上げ力を加えるよう、出入り口２４（アクセスポート）に位置合わせされた持上げ装置２６を含む。
【０００７】
他の実施形態により、メディア・ホルダ・センサ３０を大容量メディア装置１２に接続して、メディア・ホルダ１４を大容量メディア機構１２に入れたときに、メディア・ホルダ１４があることを信号で知らせる又は検出する。この実施形態では、メディア・ホルダ・センサ３０は、メディア・ホルダ１４があることを検出すると、大容量メディア機構に信号を送って、持上げ装置（１つまたは複数）２６を解放する。それにより、持上げ装置２６が、伸張し、メディア・ホルダ１４の出入り口２４を通って、可動支持台２８の底面に対して持上げ力を加えることが可能になる。
【０００８】
他の実施形態では、持上げ装置２６は、大容量メディア機構１２の装填ドア（図示されてない）を閉じると、縮んで係合される。その後、メディア４６がまったくない場合には、メディア持上げ装置２６は、大容量メディア機構１２の最上部にあるセンサ３２により、持上げピン４２が検出されるまで、大容量メディア機構１２の最上部まで移動する。持上げピン４２が検出されたが、メディア４６がまったく検出されない場合には、非装填（ｕｎｌｏａｄｅｄ、アンロード）状態すなわち用紙切れ状態が示される。このような場合には、ピン４２が引っ込んで、新たな満杯に装填されたメディア・ホルダ１４が、メディア機構１２に入れられる。その時点で、センサ３０は、メディア・ホルダ１４のあることを検出して、持上げ装置２６の解放を信号で知らせ、持上げ装置２６のピン４２は、図１に示されるように、伸張して、持上げ力を可動支持台２８に加える。
【０００９】
本発明の他の面により、機械式センサまたは光センサのようなメディア・センサ３２（限定せずに、例示としてのみ）、あるいは、現在知られているか、または今後開発される他の任意のセンサを大容量メディア機構１２に接続して、大容量メディア機構１２のピック・ローラ・アセンブリ３４の隣りに、メディア４６があることを信号で知らせる／検出する。本発明の他の面では、バーコード・スキャナまたはＲＦＩＤセンサ受信機などのラベル・センサ３６を大容量メディア機構１２に接続して、メディア・ホルダ１４の底面１６に付けられたラベル３８を信号で知らせ／検出して、読み取る。ラベル３８は、バーコード・ラベルのように、現在知られているか、または今後開発される任意の機械読取り可能ラベルであることもある。ラベル３８は、用紙のサイズ、量、重量、生地、表面あらさ、あるいは、現在知られているか、または今後開発される他の任意の特徴または情報を含むことがある。ラベル・センサ３６とラベル３８は、共同して、そのメディア・タイプを、大容量メディア機構１２に知らせる。本発明の一面では、大容量メディア機構１２は、その知らされたメディア・タイプの特性に適するものとして、定着剤の温度、印刷速度、または他の処理パラメータを調節するようにしている。メディア・ホルダ・センサ３０、メディア・センサ３２、ラベル・センサ３６を組み合わせて、ただ１個のセンサにすることがある。また、このセンサは、現在知られているか、または今後開発されるどんなタイプのセンサであってもよい。センサ３０、３２、３６を大容量メディア機構１２に接続して、このセンサ情報を利用して、大容量メディア機構１２を動作させ、調整することは、充分、当業者の通常技術の範囲内にあるものとして、とりわけ開示されていない。
【００１０】
次に、図３を参照すると、凹み（凹部）４０を含む可動支持台２８が示されている。凹み４０は、持上げ装置２６を受け入れて、これを保持し、しかも、垂直方向の持上げプロセス中に、持上げ装置２６が水平方向に動かないようにする目的および機能を満たす。凹み４０はまた、大容量メディア機構１２内でメディア・ホルダ１４を位置合わせする目的も満たす。ピン４２は、それが適正な位置にあるときに、解放されて、事実上、支持台２８とメディア・ホルダ１４を、大容量メディア機構１２内で適正に位置合わせされた状態に保つ。一実施形態により、複数の凹み４０は、変形可能な一体形メディア・ホルダ１４の底面１６の複数の出入り口２４と一致するように設けられている。本発明の一面では、６つの出入り口２４が、６つの凹み４０に対応している。
【００１１】
次に、図４を参照すると、本発明の一面では、持上げ装置２６は、伸縮自在の感圧ピン４２の形式を取っている。この場合も、ピン４２は、持上げ力を可動支持台２８に与える。一実施形態により、ピン４２は、伸縮可能なばね４４を用いて上向きの押圧力を与えるという意味で、感圧式のものである。確かに、上向きの押圧力は、現在知られているか、または今後開発されるどんな電気式、機械式、または油圧式の装置でも与えられる。すなわち、例証としてのみ、支持台２８とメディア４６をメディア・ホルダ１４の側面２０の垂直スロットに沿って大容量メディア機構１２の最上部から引き上げるよう、大容量メディア機構１２の支持台２８および最上部に連結された滑車システムに代えて、伸縮式のピン４２を使用することがある。いずれにしても、本発明の一態様では、ピン４２は、メディア・ホルダ１４を大容量メディア機構１２内に入れる前は、縮められた状態にある。メディア・ホルダ１４を大容量メディア機構１２内に入れると、ピン４２は解放される。大容量メディア機構１２が、上側装入式（トップローディング）装置、あるいは側部装入式（サイドローディング）装置１２であるかどうかは問題でない。ピン４２は、手動で解放されるか、あるいは、本発明の一態様において、上で論じられたように、メディア・ホルダ・センサ３０を用いて解放されることがある。解放機構はまったく必要でないかもしれない。例えば、上側装入式装置１２の場合には、ピン４２は、非装填状態で伸張されることがある（これに限定されない）。メディア・ホルダ１４をピン４２の上に置く動作は、ピン４２を縮めて、ピン４２内のばね４４に「負荷をかけて」、ピン４２が、上向きの押圧力を支持台２８に加えるようにすることができる。いずれにしても、この解放機構は、本明細書には、とりわけ開示されてない。この解放機構は、電気式、機械式、もしくはそれらに類するどんなタイプのものであってもよく、これは、充分、通常の当業者の技術力の範囲内にある。持上げ装置２６と、センサ３０、３２、３６は、新品の大容量メディア機構１２に、工場で取り付けられるか、あるいは、場合によって取り替えられることがある。
【００１２】
本発明の一面では、変形可能な一体形メディア・ホルダ１４は、湿気を吸収するように作られている。これは、ボックスの中に乾燥剤を含めることで、あるいは、現在知られているか、または今後開発される他の手段によって、達成されることもある。本発明の他の面では、変形可能な一体形メディア・ホルダ１４は、ボール紙（ｃａｒｄｂｏａｒｄ）、厚紙で作られている。ボール紙は、湿気を吸収して、あらかじめ入れられたメディア４６を、いつでも使用できる状態に保つ。本発明の他の特徴としては、変形可能な一体形メディア・ホルダ１４の側面２０は、メディア・ホルダ１４内に入っている紙などのメディア４６を垂直方向に揃えるように構成されている。本発明のこの特徴は、大容量メディア機構１２内のメディア・ホルダ１４を適正に揃えるのに役立つことと、さらに、適正で有用なやり方で、メディア４６をピック・ローラ３４、または、他の任意のメディア取込み（ｐｉｃｋｉｎｇ）機構に確実に送り出せることも対象としている。
【００１３】
もう一度、図２を参照すると、一実施形態では、変形可能な一体形メディア・ホルダ１４は、取っ手４８付きの上面１８（上板）を持っている。まず最初に、変形可能な一体形メディア・ホルダ１４に、少なくとも２つ以上の標準リームのメディアに相当するものを装填する。ここで、標準リームとは、５００枚のメディアを持っているリームである。本明細書で用いられる「ｒｅａｍ（リーム）」という語は、分離され、かつ、個別化された任意のメディア群をも意味する。リームは、５００枚よりも多いか、または少ないメディアを含むことがある。それでも、大容量メディア機構１２は、「複数のリーム」のメディア４６を収容している。この場合も、大容量メディア機構１２は、通常、４リーム以上の紙／媒体４６を収容している。本発明のこのような特徴は、一度に、すべてのメディア４６を連続的に入れるため、満杯になっているメディア・ホルダ１４に切れ目がないようにしている。満杯のメディア・ホルダ１４が、大容量メディア機構１２に運ばれて、取っ手４８が引っ張られる。メディア・ホルダ１４のあらかじめ選ばれた領域２２に、ミシン目２３があるために、取っ手４８を引っ張ると、メディア・ホルダ１４のあらかじめ選ばれた部分が除去される。一実施形態では、上面１８と、側面２０の一部が除去されて、それにより、メディア４６が、ピック・ローラ・アセンブリ３４に触れる。所定の領域２２は、ミシン目２３により、あるいは、現在知られているか、または今後開発される任意のタイプの解放、除去  できる構成により定められる。これに限定されないが、例えとして、テープ、接着剤、糸引張りタブ、または他の任意のシステムに代えて、ミシン目２３が、メディア・ホルダ１４の所定の部分を選択的に除去するために使用されてよい。一実施形態により、この上面取っ手部分４８は、前に述べられたような、従来技術のシステムにおいて発生したきわめて大量の不用物ではなく、大容量メディア機構１２を満杯にするプロセス中に発生する唯一の不用物である。その時点において、ユーザが、大容量メディア機構１２を満杯にするために為さなければならないことは、メディア・ホルダ１４を大容量メディア機構１２に入れることだけであり、すなわち、これは、今日の基準と比較して、達成するのに、ほんのわずかな時間しかかからないプロセスである。これは、底面１６の出入り口２４を、持上げ装置２６に自動的に位置合わせして、メディア４６を、ピック機構３４に強制的に接触させて、大容量メディア機構１２がいつでも印刷／コピーできるようにする。さらに、本明細書で用いられる「変形可能な一体形メディア・ホルダ」という語は、除去可能な上面１８を、物理的に接合してはないが、ただし、除去可能な結び付ける物などの他の何らかの手段（例えば、限定せずに、例示としてのみ、プラスチック製ストラップ）で、上面１８を所定の場所に保持しているメディア・ホルダ１４を含む。このような場合には、これらのストラップを一度除去しさえすれば、メディア・ホルダ１４から上面１８をただ持上げて取り除くだけで、メディア・ホルダ１４中にアクセス（到達）できるようにしている。
【００１４】
本発明のこの実施形態の説明は、図解の目的で提示されてきたが、ただし、すべてを尽くすつもりはなく、また、本発明を、開示された形式に限定するつもりもない。通常の当業者には、多くの変更や変形が明らかになろう。限定せずに、例示として挙げると、メディア・ホルダ１４は、使い捨て品であるか、あるいは、メディア・ホルダ１４を再使用できるようにするプラスチック材、もしくはそれに類する材料で作られる場合もある。プリント・カートリッジを送り返して、工場で充填するのとほとんど同じやり方で、メディア・ホルダ１４を送り返して、別のメディア４６の装入物を工場で入れることがある。したがって、本発明は、本発明の一実施形態に関連して開示されてきたが、他の実施形態も、併記の特許請求の範囲で定義される本発明の精神および範囲に属する場合があるものとする。
【００１５】
本発明は以下の実施態様を含んでいる。
【００１６】
＜１＞  大量のメディアを用いる大容量メディア機構内において、あらかじめ選ばれた領域が切り離されるように作られており、底面と上面を持つ変形可能な一体形メディア・ホルダと、前記メディア・ホルダ内の可動支持台と、前記可動支持台に持上げ力を加える、前記大容量メディア機構内の持上げ手段と、を備えることを特徴とする大容量メディア装置。
【００１７】
＜２＞  大量のメディアを収容する大容量メディア機構内において、上面においてあらかじめ選ばれた領域が切り離されるように作られており、底面と上面を持つ変形可能な一体形メディア・ホルダと、前記メディア・ホルダ内の可動支持台と、前記底面の少なくとも１つの出入り口と、前記可動支持台に持上げ力を加えるために前記少なくとも１つの出入り口に位置合わせされるようにした、前記大容量メディア機構内の持上げ手段と、を備えることを特徴とする大容量メディア装置。
【００１８】
＜３＞  前記メディア・ホルダがあることを検出して、前記持上げ手段を解放して、前記持上げ力を前記可動支持台に加えるように構成されているメディア・ホルダ・センサであって、前記大容量メディア機構に接続されたメディア・ホルダ・センサをさらに備えることを特徴とする上記＜２＞に記載の装置。
【００１９】
＜４＞  複数リームのメディアを収容する大容量メディア機構内において、あらかじめ選ばれた領域が切り離されるように作られており、底板、上板、側板を持つ変形可能な一体形メディア・ホルダであって、湿気を吸収するようにした変形可能な一体形メディア・ホルダと、前記メディア・ホルダ内にあり、複数の凹みを含むようにした可動支持台と、前記複数の凹みと協働するように構成され、前記底板に形成された複数の出入り口と、前記大容量メディア機構内で、持上げ圧力を前記可動支持台に加えるように前記複数の出入り口および前記複数の凹みと協働するようにした複数の持上げ装置と、前記大容量メディア機構に接続された少なくとも１つのセンサと、を備えることを特徴とする大容量メディア装置。
【００２０】
＜５＞  前記メディア・ホルダの前記底板の外側面で、前記複数の出入り口間に付けられたラベルをさらに備えることを特徴とする上記＜４＞に記載の装置。
【００２１】
＜６＞  前記ラベルがさらに、前記メディア・タイプを前記大容量メディア機構に知らせることと、前記大容量メディア機構が、前記知らされたメディア・タイプに合うようにセッティングを調整することを特徴とする上記＜５＞に記載の装置。
【００２２】
＜７＞  複数リームのメディアを収容する大容量メディア機構内において、メディアを中に入れるために、上板、底板、側板を持つ変形可能な一体形メディア・ホルダであって、湿気を吸収するように構成され、かつ、あらかじめ選ばれた領域が切り離されるように作られたメディア・ホルダを提供するステップと、前記メディア・ホルダ内に、複数の凹みを含む可動支持台を提供するステップと、前記底板の複数の出入り口を、前記可動支持台の前記複数の凹みと協働するように作るステップと、前記複数の出入り口と協働し、かつ持上げ圧力を前記可動支持台に加えるように、前記大容量メディア機構内で複数の持上げピンを連結するステップと、メディア・ホルダ・センサとメディア・センサとラベル・センサを大容量メディア機構に接続するステップと、前記メディア・ホルダの前記選ばれた領域として、一側板の少なくとも一部と前記上板とを除去するステップと、前記メディア・ホルダを前記大容量メディア機構に入れて、前記出入り口が前記持上げピンに位置合わせされ、かつ、前記持上げピンが、持上げ力を前記可動支持台に加えるようにするステップと、を有することを特徴とする大容量メディアのセッティング方法。
【００２３】
＜８＞  前記メディア・ホルダの前記底板の外側面で、前記複数の出入り口間にラベルを付けるステップと、前記ラベルが、前記メディアの特性を前記メディア・センサに知らせるようにするステップと、前記大容量メディア機構が、前記知らされたメディア特性に合うように自動的に調整されるステップと、をさらに有することを特徴とする上記＜７＞に記載の方法。
【００２４】
＜９＞  ２リーム以上のメディアを収容するメディア・ホルダ手段と、前記メディア・ホルダ手段に一体化して、湿気を吸収する吸湿手段と、前記メディア・ホルダ手段に連結されており、メディアを支持する可動支持台手段と、前記可動支持台手段にアクセスするための少なくとも１つの出入り口手段と、前記可動支持台を持ち上げるために、前記少なくとも１つの出入り口手段に連結される少なくとも１つの持上げ手段と、を備えることを特徴とする大容量メディア装置。
【００２５】
＜１０＞  前記メディア・ホルダ手段のあらかじめ選ばれた部分を除去する手段をさらに備えることを特徴とする上記＜９＞に記載の大容量メディア装置。
【産業上の利用可能性】
【００２６】
本発明の大容量メディア装置は、コピー機やプリンタに対して使用可能である。
【図面の簡単な説明】
【００２７】
【図１】本発明の一実施形態による大容量メディア装置の透視図である。
【図２】図１の実施形態の透視図である。
【図３】図１の実施形態の凹み付きの可動支持台の透視図である。
【図４】図１の実施形態の伸縮自在の感圧持上げピンの側面透視図である。
【符号の説明】
【００２８】
１０  大容量メディア装置
１２  大容量メディア機構
１４  メディア・ホルダ
１６  底面（底板）
１８  上面（上板）
２０  側面（側板）
２２  あらかじめ選ばれた領域
２３  ミシン目
２４  出入り口（アクセスポート）
２６  持上げ装置
２８  可動支持台
３０  メディア・ホルダ・センサ
３２  メディア・センサ
３４  ピック・ローラ・アセンブリ
３６  ラベル・センサ
３８  ラベル
４６  メディア（媒体）
４８  取っ手
【図１】
2004262658.tif 000003
【図２】
2004262658.tif 000004
【図３】
2004262658.tif 000005
【図４】
2004262658.tif 000006